(57)【要約】【課題】  画像調整のシステム及び方法の提供。【解決手段】  本発明は画像調整のシステム及び方法、更に詳しくは顔画像の調整のシステム及び方法に関する。顔調整テンプレートデータベースに保存された顔調整テンプレートを使用して顔画像を調整でき、該顔調整テンプレートはコンピュータソフトウエア或いは手動調整により生成された複数の顔調整パラメータを具え、該顔調整パラメータは肌テクスチャ、顔の造作の比、及び表情変化等を含む。更に複数の顔調整パラメータの組合せにより異なる顔調整テンプレートを構築でき、これにより顔の表情を適当に修飾して異なる顔画像の効果を発生させることができる。【選択図】        図１
2005128988.tif 000002
【特許請求の範囲】
【請求項１】
オリジナル顔画像を読み取るのに用いられる画像読み取りユニットと、
該顔画像の特徴を認識及び位置決めする画像認識ユニットと、
予め設定された異なる顔調整パラメータを含む予め設定された複数の顔調整テンプレートを保存する顔調整テンプレートデータベースと、
該顔調整テンプレートデータベースより希望する調整の顔の特徴を有する顔調整テンプレートを選択して、選択した顔調整テンプレートをオリジナル顔画像に適用してオリジナル顔画像の顔の特徴を修飾するのに用いられるテンプレート選択ユニットと、
手動で顔画像の特徴を調整するのに用いられ、パラメータ化した処理手順を新しいテンプレートとして顔調整テンプレートデータベースに記録する手動調整ユニットと、
を具えたことを特徴とする、画像調整システム。
【請求項２】
請求項１記載の画像調整システムにおいて、顔画像の特徴が、顔画像の顔の造作の関係位置及び比の特徴を含むことを特徴とする、画像調整システム。
【請求項３】
請求項１記載の画像調整システムにおいて、顔画像の特徴が、肌テクスチャを含むことを特徴とする、画像調整システム。
【請求項４】
請求項１記載の画像調整システムにおいて、予め設定される顔調整パラメータが顔画像の顔の表情パラメータとされ得ることを特徴とする、画像調整システム。
【請求項５】
請求項１記載の画像調整システムにおいて、予め設定される顔調整パラメータが顔画像の顔の造作の比のパラメータとされ得ることを特徴とする、画像調整システム。
【請求項６】
請求項１記載の画像調整システムにおいて、予め設定される顔調整パラメータが肌テクスチャのパラメータとされ得ることを特徴とする、画像調整システム。
【請求項７】
請求項１記載の画像調整システムにおいて、予め設定される顔調整パラメータが肌の明るさ及びコントラストのパラメータとされ得ることを特徴とする、画像調整システム。
【請求項８】
請求項１記載の画像調整システムにおいて、予め設定される顔調整パラメータが肌色のティントパラメータとされ得ることを特徴とする、画像調整システム。
【請求項９】
請求項１記載の画像調整システムにおいて、予め設定される顔調整テンプレートが動態直列の顔表情変化の組合せとされ得ることを特徴とする、画像調整システム。
【請求項１０】
請求項１記載の画像調整システムにおいて、予め設定される顔調整パラメータが動画漫画効果のテンプレートとされ得ることを特徴とする、画像調整システム。
【請求項１１】
以下のステップ、即ち、
（ａ）顔画像ファイルをロードするステップ、
（ｂ）画像認識ユニットにより顔画像の特徴を認識及び位置決めするステップ、
（ｃ）顔調整テンプレートデータベース中より顔調整テンプレートを選択するステップ、
（ｄ）選択した顔調整テンプレートの顔調整パラメータ値をこの顔画像に適用して顔画像の顔の特徴を修飾するステップ、
（ｅ）（ｃ）のステップの間に、顔調整テンプレートデータベース中に選択できる顔調整テンプレートがないと判断すれば、（ｃ）のステップ中に手動調整方式で顔画像を調整し、更にパラメータ化したプロセスの手順を新しい顔調整テンプレートとして画像調整システムに保存するステップ、
（ｆ）（ｄ）のステップで顔の特徴を修飾した後の顔画像の特徴を更に手動で調整するステップ、
（ｇ）調整後の顔画像を出力するステップ、
以上のステップを具えたことを特徴とする、画像調整方法。
【請求項１２】
請求項１１記載の画像調整方法において、予め設定される顔調整テンプレートが顔画像の顔の表情パラメータの組合せとされうることを特徴とする、画像調整方法。
【請求項１３】
請求項１１記載の画像調整方法において、予め設定される顔調整テンプレートが顔画像の顔の造作の比のパラメータの組合せとされうることを特徴とする、画像調整方法。
【請求項１４】
請求項１１記載の画像調整方法において、予め設定される顔調整テンプレートが肌テクスチャのパラメータの組合せとされうることを特徴とする、画像調整方法。
【請求項１５】
請求項１１記載の画像調整方法において、予め設定される顔調整テンプレートが肌の明るさ及びコントラストのパラメータの組合せとされうることを特徴とする、画像調整方法。
【請求項１６】
請求項１１記載の画像調整方法において、予め設定される顔調整テンプレートが肌色のティントのパラメータの組合せとされうることを特徴とする、画像調整方法。
【請求項１７】
請求項１１記載の画像調整方法において、予め設定される顔調整テンプレートが動態直列の顔の表情変化の組合せとされうることを特徴とする、画像調整方法。
【請求項１８】
請求項１１記載の画像調整方法において、予め設定される顔調整テンプレートが動態漫画効果の組合せとされうることを特徴とする、画像調整方法。
【発明の詳細な説明】
【技術分野】
【０００１】
本発明は画像調整のシステム及び方法、特に顔画像を調整するシステム及び方法に係り、顔調整パラメータの調整により、人の顔画像データを調整するシステム及び方法に関する。
【背景技術】
【０００２】
「画像」は、普及した実用製品たり得るほか、高価な芸術創作たり得る。それは言語翻訳不要な国際「パターンシンボル」である。世界中に、周囲の事物の撮影を不断に行なう愛好者がいる。そのなかには、専業にしたり、専門家になったり、偉大な教師になる者もいる。
【０００３】
一般に、デジタル撮影は伝統的なフィルム撮影よりも画像処理ソフトツールを使用して修飾加工が行ないやすく、フレキシブルに応用できる。デジタル画像技術の発展と普及に伴い、消費市場のデジタル画像製品に対する好みと要求はますます増しており、その関係産業もまた勃興発展し、デジタル消費製品の主流の一つとなっている。
【０００４】
学術単位或いは業界のいずれもが、更に完全な画像をキャプチャできるように、資源の研究開発を続け、撮影ハードウエアの開発に力を入れ、或いは画像操作の最大の弾性と最良の品質を獲得すべくデジタル画像演算処理の研究を行なっている。
【０００５】
デジタル画像技術は実験室から専業者の領域に移され、さらに専業者の領域から大衆生活に進入し、アプリケーションツールの要求は機能と品質のほか、学習しやすいことがますます要求されている。このためツール自身のインテリジェンスと自動化が、製品の重要な競争力のポイントとなり、また、新時代のデジタル画像ツールの技術発展のポイントと傾向となる。
【０００６】
顔デジタル画像の顔だちと表情を処理する伝統的な方法は以下のようである。
１．画像処理ソフト（例えばＰｈｏｔｏｓｈｏｐ）を使用して画像を手動で修飾する：画像処理ソフトのツール、例えばブラシ、フィルタ、及び変形効果はそれぞれ顔画像を修飾するのに使用できる。従来の方法の主要な欠点は、複雑な画像処理ツールを反復操作しなければならず、使用者が画像処理ツールの全ての機能に熟練して美学素養のある専業者でなければならないことである。全ての操作ステップはいずれも手動で且つ保留できず、このため各イメージを個別に処理しなければならない。
２．もとの写真ともう一枚の写真を使用してモーフィングを行ない、新たに中間画像を生成する（例えばＭｏｒｐｈｅｕｓ  ｓｏｆｔｗａｒｅを使用する）その主要な欠点は二つの写真をオリジナル画像として使用する必要があり、２枚の写真が同一人物でない時に、変形の過程で画像がますます本人に似なくなることである。
【０００７】
上述の問題を解決するための新規な顔画像調整の方法により、伝統的な技術の複雑な画像処理ツールを必要とする欠点を改善すると共に、重複して設定値を使用できるようにすることが求められている。発明者は長年にわたり関係製品の研究、開発に従事し、販売実務経験を有し、改良を重ね、ついに一種の顔画像調整の方法を発明し、上述の問題を解決するに至った。
【発明の開示】
【発明が解決しようとする課題】
【０００８】
本発明の主要な目的は、画像調整のシステム及び方法、特に顔画像調整のシステム及び方法を提供することにあり、それは、顔調整テンプレートデータベース中に保存された顔調整テンプレートを使用して顔画像の画像データを調整し、該顔調整テンプレートデータベースが複数の顔調整パラメータデータ、例えば肌テクスチャ、顔の造作比、及び表情変化のデータを保存して、顔画像の品質を改善し、複数の顔調整パラメータを組み合わせることで、異なる顔調整テンプレートを形成できる。こうして、従来の専業の画像処理技術の代わりに前述のテンプレートを処理する顔画像に適用することができる。
【０００９】
本発明のもう一つの目的は、画像調整のシステム及び方法、特に顔画像調整のシステム及び方法を提供することにあり、それは、顔調整テンプレートデータベース中の顔調整テンプレートにより、顔画像データを調整できるシステム及び方法であり、該データベース中の顔調整テンプレートデータは重複使用でき、顔画像写真を処理する時、選択により直接使用でき、操作の時間を加速でき、且つ美術或いはコンピュータグラフィックの専業知識がなくても使用できる。
【００１０】
本発明の別の目的は、画像調整のシステム及び方法、特に顔画像調整のシステム及び方法を提供することにあり、それは、顔調整テンプレートデータベース中の顔調整テンプレートにより、顔画像データを調整するシステム及び方法であり、顔調整テンプレートデータベースに複数の顔調整テンプレートが保存され、この複数の顔調整テンプレートがコンピュータソフトにより生成されるか或いは人工調整により生成され、それは顔皮膚の欠点を除去する調整パラメータ、顔の造作比の調整パラメータ、及び顔表情の調整パラメータを含み、顔画像を適当に改修して異なる顔画像の効果を発生する。
【００１１】
本発明のまた一つの目的は、画像調整のシステム及び方法、特に顔画像調整のシステム及び方法を提供することにあり、そのうち、本発明の方法は、画像フィルタ技術、局部変形技術、及び顔筋肉シュミレーション技術を総合して、顔の画像を調整し、そのうちフィルタ技術は画像の肌質を調整して皮膚の外観を滑らかで健康とするのに用いられ、シミや皺、痣等を除去するのに用いられる。局部変形技術は顔形、顔の造作比及び形状を調整するのに用いられる。顔筋肉シュミレーション技術は顔の解剖構造に基づき、筋肉の交互作用により表情を調整し、個性を現出するのに用いられる。上述の画像処理により獲得される調整パラメータ値は顔調整テンプレートデータベース中に保存されて後の顔画像の処理に随時選択して使用でき、大幅に顔画像処理の効果と速度を増す。
【課題を解決するための手段】
【００１２】
請求項１の発明は、オリジナル顔画像を読み取るのに用いられる画像読み取りユニットと、
該顔画像の特徴を認識及び位置決めする画像認識ユニットと、
予め設定された異なる顔調整パラメータを含む予め設定された複数の顔調整テンプレートを保存する顔調整テンプレートデータベースと、
該顔調整テンプレートデータベースより希望する調整の顔の特徴を有する顔調整テンプレートを選択して、選択した顔調整テンプレートをオリジナル顔画像に適用してオリジナル顔画像の顔の特徴を修飾するのに用いられるテンプレート選択ユニットと、
手動で顔画像の特徴を調整するのに用いられ、パラメータ化した処理手順を新しいテンプレートとして顔調整テンプレートデータベースに記録する手動調整ユニットと、
を具えたことを特徴とする、画像調整システムとしている。
請求項２の発明は、請求項１記載の画像調整システムにおいて、顔画像の特徴が、顔画像の顔の造作の関係位置及び比の特徴を含むことを特徴とする、画像調整システムとしている。
請求項３の発明は、請求項１記載の画像調整システムにおいて、顔画像の特徴が、肌テクスチャを含むことを特徴とする、画像調整システムとしている。
請求項４の発明は、請求項１記載の画像調整システムにおいて、予め設定される顔調整パラメータが顔画像の顔の表情パラメータとされ得ることを特徴とする、画像調整システムとしている。
請求項５の発明は、請求項１記載の画像調整システムにおいて、予め設定される顔調整パラメータが顔画像の顔の造作の比のパラメータとされ得ることを特徴とする、画像調整システムとしている。
請求項６の発明は、請求項１記載の画像調整システムにおいて、予め設定される顔調整パラメータが肌テクスチャのパラメータとされ得ることを特徴とする、画像調整システムとしている。
請求項７の発明は、請求項１記載の画像調整システムにおいて、予め設定される顔調整パラメータが肌の明るさ及びコントラストのパラメータとされ得ることを特徴とする、画像調整システムとしている。
請求項８の発明は、請求項１記載の画像調整システムにおいて、予め設定される顔調整パラメータが肌色のティントパラメータとされ得ることを特徴とする、画像調整システムとしている。
請求項９の発明は、請求項１記載の画像調整システムにおいて、予め設定される顔調整テンプレートが動態直列の顔表情変化の組合せとされ得ることを特徴とする、画像調整システムとしている。
請求項１０の発明は、請求項１記載の画像調整システムにおいて、予め設定される顔調整パラメータが動画漫画効果のテンプレートとされ得ることを特徴とする、画像調整システムとしている。
請求項１１の発明は、以下のステップ、即ち、
（ａ）顔画像ファイルをロードするステップ、
（ｂ）画像認識ユニットにより顔画像の特徴を認識及び位置決めするステップ、
（ｃ）顔調整テンプレートデータベース中より顔調整テンプレートを選択するステップ、
（ｄ）選択した顔調整テンプレートの顔調整パラメータ値をこの顔画像に適用して顔画像の顔の特徴を修飾するステップ、
（ｅ）（ｃ）のステップの間に、顔調整テンプレートデータベース中に選択できる顔調整テンプレートがないと判断すれば、（ｃ）のステップ中に手動調整方式で顔画像を調整し、更にパラメータ化したプロセスの手順を新しい顔調整テンプレートとして画像調整システムに保存するステップ、
（ｆ）（ｄ）のステップで顔の特徴を修飾した後の顔画像の特徴を更に手動で調整するステップ、
（ｇ）調整後の顔画像を出力するステップ、
以上のステップを具えたことを特徴とする、画像調整方法としている。
請求項１２の発明は、請求項１１記載の画像調整方法において、予め設定される顔調整テンプレートが顔画像の顔の表情パラメータの組合せとされうることを特徴とする、画像調整方法としている。
請求項１３の発明は、請求項１１記載の画像調整方法において、予め設定される顔調整テンプレートが顔画像の顔の造作の比のパラメータの組合せとされうることを特徴とする、画像調整方法としている。
請求項１４の発明は、請求項１１記載の画像調整方法において、予め設定される顔調整テンプレートが肌テクスチャのパラメータの組合せとされうることを特徴とする、画像調整方法としている。
請求項１５の発明は、請求項１１記載の画像調整方法において、予め設定される顔調整テンプレートが肌の明るさ及びコントラストのパラメータの組合せとされうることを特徴とする、画像調整方法としている。
請求項１６の発明は、請求項１１記載の画像調整方法において、予め設定される顔調整テンプレートが肌色のティントのパラメータの組合せとされうることを特徴とする、画像調整方法としている。
請求項１７の発明は、請求項１１記載の画像調整方法において、予め設定される顔調整テンプレートが動態直列の顔の表情変化の組合せとされうることを特徴とする、画像調整方法としている。
請求項１８の発明は、請求項１１記載の画像調整方法において、予め設定される顔調整テンプレートが動態漫画効果の組合せとされうることを特徴とする、画像調整方法としている。
【発明の効果】
【００１３】
本発明の顔調整テンプレートデータベースには予め大量の異なる種類の顔調整テンプレートが保存され、それは、皮膚の滑らかさパラメータ、顔の造作比パラメータ、顔の造作の寸法パラメータ、顔の表情参考パラメータ等を含む。ある画像に対して処理を行なう時、使用者は顔調整テンプレートデータベース中に保存された顔調整テンプレートを選択し、顔画像に適用し、速やかにこの画像を変形或いは修飾した画像を得ることができる。ゆえに、本発明は予め顔調整テンプレートデータベースに保存した顔調整テンプレートを直接顔画像に適用でき、専業の美術或いはコンピュータ技術者による処理を必要とせず、且つ各一つの画像に対して複雑な処理を行なう必要がなく、顔画像データ処理の時間を減らすことができ、操作に便利で、大幅に作業効率を高めることができる。
【発明を実施するための最良の形態】
【００１４】
図１は本発明のシステム構造ブロック図である。本発明の画像調整のシステムは、画像読み取りユニット０２、画像認識ユニット０３、テンプレート選択ユニット０４、顔調整テンプレートデータベース０５、及び手動調整ユニット０６を具えている。本発明の画像調整のシステム中の画像読み取りユニット０２は、まずオリジナル顔画像０１を読み取る。該オリジナル顔画像０１は本発明中の画像認識ユニット０３による特徴認識の後（詳しいステップは後の実施例中で説明する）、妥当な顔特徴の位置決めが行なわれる。その後、使用者は本発明中のテンプレート選択ユニット０４により本発明中の顔調整テンプレートデータベース０５より一組の顔調整テンプレートを取り出し（該顔調整テンプレートは複数の顔調整パラメータからなる）、この特徴位置決め完了したオリジナル顔画像０１を調整する。例えば、それを微笑させて調整後の顔画像０７を得る。もし顔調整テンプレートデータベース０５に関係する顔調整テンプレートがなければ、使用者は本発明中の手動調整ユニット０６を使用して特徴位置決め後のオリジナル顔画像０１を調整して調整後の顔画像０７を得ることができる。
【００１５】
図２は本発明の画像処理のフローチャートであり、図２に示されるように、本発明の主要なステップは以下を含む：
ステップ１０：  顔画像ファイルをロードする
ステップ２０：  画像認識ユニットが顔画像の特徴を認識及び位置決めする
ステップ３０：  顔調整テンプレートデータベース中より顔調整テンプレートを選択する
ステップ４０：  顔調整テンプレート中に含まれる各顔調整パラメータ値をこの顔画像に適用する
ステップ５０：  ステップ３０で、顔調整テンプレートデータベース中に選択できる適当な顔調整テンプレートがなければ、手動方式で顔画像を調整する。設定完成した一組の顔調整パラメータ値もまた顔調整テンプレートデータベース中に保存して新たなテンプレートとなし、後日の再使用に供する。
ステップ６０：  調整後の顔画像を出力する。
【００１６】
図３Ａ及び図３Ｂを参照されたい。それは本発明の好ましい実施例の実際の操作の表示図である。図中に示されるように、画像が本発明のシステムにロードされた後、本発明のシステム中の画像認識ユニットが先ずこの顔画像の顔の特徴を認識及び位置決めし、この顔の特徴の分析並びに計算により、さらにこの一組の顔の造作特徴点に基づき、顔の特徴点を配置し、この一組の特徴点を使用して顔の特徴にマッチする一組の構造図を構築する。そして顔画像を顔の造作により複数のゾーンに分ける。図３Ａを参照されたい。図３Ａは特徴認識後の顔画像である。図３Ａに示されるように、画像認識ユニットは、眉毛位置決め点３１１、３１２、３１３、３１４、目位置決め点３１５、３１６、３１７、３１８、及び口位置決め点３１９、３２０、３２１及び３２２を含む顔の特徴を認識及び位置決めする。その後、本発明のテンプレート選択ユニットが希望する調整の画像を具えたテンプレートを選択するのに使用される。仮に希望する画像が「微笑」であるとすると、「微笑」顔調整テンプレートを顔調整テンプレートデータベースより選択し、並びに「微笑」顔調整パラメータをこの顔画像に適用してこの顔画像を調整する。調整完了後の顔画像は図３Ｂのとおりであり、もとの口位置決め点３１９、３２０、３２１及び３２２が新たな口位置決め点３１９１、３２０１、３２１１、及び３２２１となり、ゆえにこの顔画像は「微笑」しているように見える。もし使用者が調整後の顔画像に満足しなければ、使用者は本発明中の手動調整ユニットを使用して顔画像を満足できるように細かく調整することができる。その後、該「微笑」の顔画像に対して次の処理を行なうことができ、例えば携帯電話を使用して遠方の友人に送ることができる。
【００１７】
さらに図４Ａ、図４Ｂは本発明の別の実施例の実際の操作の表示図である。図示されるように、顔画像が本発明のシステムにロードされた後、本発明のシステム中の画像識別ユニットが先ずこの顔画像の顔の特徴を認識及び位置決めし、この顔の特徴の分析並びに計算により、さらにこの一組の顔の造作特徴点に基づき、顔の特徴点を配置し、この一組の特徴点を使用して顔の特徴にマッチする一組の構造図を構築する。そして顔画像を顔の造作により複数のゾーンに分ける。図３を参照されたい。図４Ａは特徴認識後の顔画像である。図４Ａに示されるように、画像認識ユニットは、眉毛位置決め点４１１、４１２、４１３、４１４、目位置決め点４１５、４１６、４１７、４１８、及び口位置決め点４１９、４２０、４２１及び４２２を含む顔の特徴を認識及び位置決めする。その後、本発明のテンプレート選択ユニットが希望する調整の画像を具えたテンプレートを選択するのに使用される。仮に希望する画像が「怒り」であるとすると、「怒り」顔調整テンプレートを顔調整テンプレートデータベースより選択し、並びに「怒り」顔調整パラメータをこの顔画像に適用してこの顔画像を調整する。調整完了後の顔画像は図４Ｂのとおりであり、もとの口位置決め点４１９、４２０、４２１及び４２２が新たな口位置決め点４１９１、４２０１、４２１１、及び４２２１となり、ゆえにこの顔画像は「怒り」の表情に見える。
もし使用者が調整後の顔画像に満足しなければ、使用者は本発明中の手動調整ユニットを使用して顔画像を満足できるように細かく調整することができる。その後、該「怒り」の顔画像に対して次の処理を行なうことができ、例えば携帯電話を使用して遠方の友人に送ることができる。
【００１８】
本発明は予め設定した顔調整テンプレートにより、多くの異なる種類の調整プロセスを顔画像に対して行なうことができる。例えば、上述の実施例を参照して予め設定した顔調整テンプレートを使用して顔イメージの各造作の形を修飾するほか、予め設定した顔調整テンプレートにより顔画像の滑らかさや肌色を修飾することもできる。図５Ａ、図５Ｂを参照されたい。これは本発明の他の実施例の調整前と調整後の表示図である。図示されるように、フィルタ技術による処理で局部的に肌の欠点を除去したり肌色を調整することができる。本発明により顔の造作が認識された後、顔調整テンプレートの顔調整パラメータ値は顔調整テンプレートデータベースに保存され、顔画像の顔の造作の明晰さを保持しつつ画像の不必要な斑点や線を除去するのに使用される。この処理の結果は局部フィルタ効果と同様である。
【００１９】
本発明のもう一つの実施例によると、顔調整テンプレートデータベースは動態直列の顔変化の組合せのテンプレート、例えば「顔の造作の表情の動態変化（Ｄｙｎａｍｉｃ  Ｖｒｉａｔｉｏｎ  ｏｆ  ｔｈｅ  Ｅｘｐｒｅｓｓｉｏｎ  ｏｆ  Ｆａｃｉａｌ  Ｆｅａｔｕｒｅ）」を含みうる。これらのテンプレートは動画の方式で表示され、顔調整テンプレート間の連続補間の変化に適用されリップシンク（Ｌｉｐ−Ｓｙｎｃ）技術と共に使用され、これにより画像に話をさせると同時に生き生きとした表情を具備させることができる。
【００２０】
本発明のさらに別の実施例によると、顔調整テンプレートデータベースはさらに動態漫画効果（Ａｎｉｍａｔｅｄ  Ｃｏｍｉｃ  Ｅｆｆｅｃｔ）を含み得る。これは図７に示されるようである。該テンプレートは動画方式で示され、該漫画効果は顔の造作の特定の位置に描かれる。例えば目の中に輝く涙、口から垂れる涎、額の青筋等により状況を誇張すると共に楽しさを増す。
【図面の簡単な説明】
【００２１】
【図１】本発明のシステム構造ブロック図である。
【図２】本発明の画像処理のフローチャートである。
【図３Ａ】本発明の好ましい実施例の表示図である。
【図３Ｂ】本発明の好ましい実施例の表示図である。
【図４Ａ】本発明の別の好ましい実施例の表示図である。
【図４Ｂ】本発明の別の好ましい実施例の表示図である。
【図５Ａ】本発明のさらに別の好ましい実施例の表示図である。
【図５Ｂ】本発明のさらに別の好ましい実施例の表示図である。
【図６】本発明の好ましい実施例の顔の造作表情動態変化図である。
【図７】本発明の好ましい実施例図であり、動態直列の漫画符号効果を示す。
【符号の説明】
【００２２】
０１  オリジナル顔画像
０２  画像読み取りユニット
０３  画像認識ユニット
０４  テンプレート選択ユニット
０５  顔調整テンプレートデータベース
０６  手動調整ユニット
０７  調整後の顔画像
１０、２０、３０、４０、５０、６０  ステップ
３１１、３１２、３１３、３１４  眉毛位置決め点
３１５、３１６、３１７、３１８  目位置決め点
３１９、３２０、３２１、３２２  口位置決め点
３１９１、３２０１、３２１１、３２２１  新たな口位置決め点
４１１、４１２、４１３、４１４  眉毛位置決め点
４１５、４１６、４１７、４１８  目位置決め点
４１９、４２０、４２１、４２２  口位置決め点
４１９１、４２０１、４２１１、４２２１  新たな口位置決め点
【図１】
2005128988.tif 000003
【図２】
2005128988.tif 000004
【図３Ａ】
2005128988.tif 000005
【図３Ｂ】
2005128988.tif 000006
【図４Ａ】
2005128988.tif 000007
【図４Ｂ】
2005128988.tif 000008
【図５Ａ】
2005128988.tif 000009
【図５Ｂ】
2005128988.tif 000010
【図６】
2005128988.tif 000011
【図７】
2005128988.tif 000012
【外国語明細書】
2005128988.tif 000013
2005128988.tif 000014
2005128988.tif 000015
2005128988.tif 000016
2005128988.tif 000017
2005128988.tif 000018
2005128988.tif 000019
2005128988.tif 000020
2005128988.tif 000021
2005128988.tif 000022
2005128988.tif 000023
2005128988.tif 000024
2005128988.tif 000025
2005128988.tif 000026
2005128988.tif 000027
2005128988.tif 000028
2005128988.tif 000029
2005128988.tif 000030
2005128988.tif 000031